(57)【要約】【課題】表示灯が点灯しているか否かを容易に判別可能なガスメータの提供を目的とする。【解決手段】本発明のガスメータ１０によれば、報知用ＬＥＤ３２が点灯すると、点灯表示用透光部材４０の前面から膨出したマウント部４２の表面全体が光るので、表示灯４４の正面位置から側方に外れた位置からも表示灯４４が点灯しているか否かを容易に判別することができる。しかも、そのマウント部４２の表面にはシボが形成されているので、外部からの光の反射を抑えることができ、報知用ＬＥＤ３２の点灯時と消灯時との間の差異が明確になる。これにより、太陽光の下でも表示灯４４が点灯しているか否かを容易に判別することができる。【選択図】図３
2009025177.tif 000002
【特許請求の範囲】
【請求項１】
電気回路を収容した回路収容部の外壁のうち前記電気回路に含まれる発光素子との対向位置に点灯表示用透光部材を設けて、それら発光素子と点灯表示用透光部材とにより表示灯を構成したガスメータにおいて、
前記点灯表示用透光部材の外面から突出し、その突出量が中心部に向かって徐々に増した構造のマウント部が形成されると共に、そのマウント部の表面全体にシボが形成されたことを特徴とするガスメータ。
【請求項２】
前記点灯表示用透光部材の内面から前記回路収容部の内側に向かって突出した筒部が設けられ、その筒部の内側に前記発光素子が受容されたことを特徴とする請求項１に記載のガスメータ。
【請求項３】
前記回路収容部の外壁には、ガスの使用状況を表示する保安表示部が設けられると共に、前記保安表示部の外面を覆ったプレート状透光部材が備えられ、
前記点灯表示用透光部材は、前記プレート状透光部材の一部で構成されたことを特徴とする請求項１に記載のガスメータ。
【請求項４】
前記点灯表示用透光部材は、無色透明であり、
前記マウント部の表面は、前記無色透明の前記点灯表示用透光部材に前記シボを形成したことにより磨りガラス状の白色とされ、
前記発光素子の点灯時の光は、前記白色以外の有色光であることを特徴とする請求項１乃至３の何れかに記載のガスメータ。
【発明の詳細な説明】
【技術分野】
【０００１】
本発明は、電気回路を収容した回路収容部の外壁のうち電気回路に含まれる発光素子との対向位置に点灯表示用透光部材を設けて、それら発光素子と点灯表示用透光部材とにより表示灯を構成したガスメータに関する。
【背景技術】
【０００２】
従来、この種のガスメータに備えた点灯表示用透光部材は、円板体の一端面から円筒体を突出させた構造をなし、回路収容部の外壁に形成された貫通孔に点灯表示用透光部材の円筒体が嵌合固定されている。そして、発光素子の点灯を点灯表示用透光部材の円板体を通して外部から視認するようになっていた（例えば、特許文献１参照）。
【特許文献１】特開２０００−２９２２３９号公報（第［００１９］、第３図）
【発明の開示】
【発明が解決しようとする課題】
【０００３】
上述した従来のガスメータでは、太陽光の下では表示灯が点灯しているか否かの判別が困難であった。即ち、点灯表示用透光部材の円板体が、発光素子の発光によって光っているか、太陽光を反射して光っているかの区別が困難であった。また、上述した従来のガスメータでは、表示灯の正面位置（円板部の中心線上の位置）から側方に外れた位置では、表示灯が点灯しているか否かの判別が困難であった。
【０００４】
本発明は、上記事情に鑑みてなされたもので、表示灯が点灯しているか否かを容易に判別可能なガスメータの提供を目的とする。
【課題を解決するための手段】
【０００５】
上記目的を達成するためになされた請求項１の発明に係るガスメータは、電気回路を収容した回路収容部の外壁のうち電気回路に含まれる発光素子との対向位置に点灯表示用透光部材を設けて、それら発光素子と点灯表示用透光部材とにより表示灯を構成したガスメータにおいて、点灯表示用透光部材の外面から突出し、その突出量が中心部に向かって徐々に増した構造のマウント部が形成されると共に、そのマウント部の表面全体にシボが形成されたところに特徴を有する。
【０００６】
請求項２の発明は、請求項１に記載のガスメータにおいて、点灯表示用透光部材の内面から回路収容部の内側に向かって突出した筒部が設けられ、その筒部の内側に発光素子が受容されたところに特徴を有する。
【０００７】
請求項３の発明は、請求項１に記載のガスメータにおいて、回路収容部の外壁には、ガスの使用状況を表示する保安表示部が設けられると共に、保安表示部の外面を覆ったプレート状透光部材が備えられ、点灯表示用透光部材は、プレート状透光部材の一部で構成されたところに特徴を有する。
【０００８】
請求項４の発明は、請求項１乃至３の何れかに記載のガスメータにおいて、点灯表示用透光部材は、無色透明であり、マウント部の表面は、無色透明の点灯表示用透光部材にシボを形成したことにより磨りガラス状の白色とされ、発光素子の点灯時の光は、白色以外の有色光であるところに特徴を有する。
【発明の効果】
【０００９】
［請求項１の発明］
請求項１のガスメータによれば、発光素子が点灯すると、点灯表示用透光部材の外面から膨出したマウント部全体が光るので、表示灯の正面位置から側方に外れた位置からも表示灯が点灯しているか否かを容易に判別することができる。しかも、そのマウント部表面のシボにより外部からの光の反射を抑えることができ、発光素子の点灯時と消灯時との間の差異が明確になる。これにより、太陽光の下でも表示灯が点灯しているか否かを容易に判別することができる。
【００１０】
［請求項２の発明］
請求項２の構成によれば、点灯表示用透光部材の内面から突出した筒部の内側に発光素子を受容したので、発光素子からの光を効率よく点灯表示用透光部材側に向かわせることができる。
【００１１】
［請求項３の発明］
請求項３の構成によれば、保安表示部の外面を覆ったプレート状透光部材の一部を点灯表示用透光部材としたので、部品点数の削減が図られる。
【００１２】
［請求項４の発明］
請求項４の構成によれば、発光素子の消灯時にはマウント部の表面は磨りガラス状に白色になっており、発光素子が点灯すると、マウント部が白色以外の有色に変化する。これにより、表示灯が点灯しているか否かを容易に判別することができる。
【発明を実施するための最良の形態】
【００１３】
［第１実施形態］
以下、本発明の一実施形態を図１〜図３に基づいて説明する。図１に示すように、本実施形態のガスメータ１０は、所謂、膜式ガスメータであって、計測ユニット１２の上面にメータ上部ハウジング１１を固定して備えている。メータ上部ハウジング１１の内部は、図２に示すように、上下方向で回路収容部１７とユニット部品収容部１１Ａとに区画されている。また、ユニット部品収容部１１Ａの前方には、表示器収容部１１Ｂが区画して設けられている。そして、計測ユニット１２の上面に備えた図示しない可動部品が下側のユニット部品収容部１１Ａの内部に収容され、その可動部品と表示器収容部１１Ｂに収容されたカウンタ表示器１５（図１参照）とが連動するようになっている。
【００１４】
図１に示すように、メータ上部ハウジング１１の上面における左右両端部からは、ガス入口管１３とガス出口管１４とが突出している。これらガス入口管１３及びガス出口管１４の内側の流路は、メータ上部ハウジング１１の内部に設けた図示しない１対の内部管状壁の内側を通って、ユニット部品収容部１１Ａ内に連通している。これにより、ガス入口管１３に流れ込んだガスは、回路収容部１７に漏れることなく計測ユニット１２へと全て流れ込んだ後、計測ユニット１２からガス出口管１４を通してガスメータ１０の外部へと流れ出る。その際、計測ユニット１２を通過するガスの流量に応じて前記可動部品が作動して、カウンタ表示器１５にガスの流量が表示される。
【００１５】
また、ガス入口管１３に対応した内部管状壁には、図示しない遮断弁が取り付けられている。そして、この遮断弁によってガス入口管１３の流路が開閉されるようになっている。
【００１６】
回路収容部１７の内部のうちガス入口管１３とガス出口管１４とに挟まれた部分には、回路基板３１が収容されている。回路基板３１には、例えば、ガスの使用状況を管理するためのＣＰＵ（図示せず）、地震検出用の震感器、電源回路等を含む電気回路が実装され、その電気回路に前記遮断弁が電気接続されている。
【００１７】
ＣＰＵは、異常事態が発生したと判断した場合に、遮断弁にてガス入口管１３の流路を閉じる（以下、単に、「遮断弁を閉じる」という）と共に、次述する報知用ＬＥＤ３２を点滅させて異常を報知する。具体的には、震感器にて地震を検出したとき、ガスの単位時間当たりの流量が予め設定された基準値を超えたとき、ガスの連続使用時間が予め設定された基準時間を超えたときに、異常事態発生と判断して遮断弁を閉じ、かつ、報知用ＬＥＤ３２を点滅させる。そして、その異常処理を解除するために、メータ上部ハウジング１１のうち回路収容部１７を覆う外壁１７Ｆには、図１に示した復帰ボタン１６が備えられている。その復帰ボタン１６を押圧すると、ＣＰＵは、正常な状態に戻ったと判断し、遮断弁を開き、かつ、報知用ＬＥＤ３２を消灯する。さて、回路基板３１は、板厚方向が上下方向を向くように配置され、その上面における前端部からＬＥＤ固定部３２Ａが上方に起立している。そして、ＬＥＤ固定部３２Ａの前面に、本発明の「発光素子」に相当する報知用ＬＥＤ３２が取り付けられている。報知用ＬＥＤ３２は、先端面が丸みを帯びた円柱体形状をなし、その基端部には１対の接続端子が備えられている。そして、報知用ＬＥＤ３２は、軸方向を水平方向に向け且つ先端面を前方に向けた状態になってＬＥＤ固定部３２Ａから前方に突出している。
【００１８】
さて、メータ上部ハウジング１１の外壁１７Ｆには、報知用ＬＥＤ３２との対向位置に、透光孔３３が貫通形成されている。図３に示すように、透光孔３３には、ガスメータ１０の前方側から点灯表示用透光部材４０が取り付けられている。そして、この点灯表示用透光部材４０と報知用ＬＥＤ３２とによって本発明の表示灯４４が構成されている。
【００１９】
点灯表示用透光部材４０は、無色透明な樹脂の成形品であって、透光孔３３より径が大きい円盤体４０Ａの後面から筒体４１を突出させた構造をなしている。その点灯表示用透光部材４０Ａはメータ上部ハウジング１１の外面に当接し、筒体４１は透光孔３３を貫通して回路収容部１７内に突出している。そして、筒体４１内には上記報知用ＬＥＤ３２が受容されている。
【００２０】
円盤体４０Ａの前面からはマウント部４２が膨出している。マウント部４２を透光孔３３の軸方向からみた形状は、筒部４１の外径と略同一径の円形になっており、マウント部４２はその縁部から中心部に向かうに従って徐々に突出量が増すように膨出している。また、マウント部４２の表面全体には、シボが形成されている。そのシボは、点灯表示用透光部材４０を成形する際の樹脂成形金型の一部にシボ加工面を施したことにより成形されている。また、マウント部４２は、シボにより磨りガラス（曇りガラス）状に白くなっている。
【００２１】
本実施形態のガスメータ１０に関する構成は以上であり、以下動作について説明する。本実施形態のガスメータ１０は、ガス入口管１３から供給されたガスをガス出口管１４から排出している。回路基板３１に備えられた感震器等のセンサーが異常を検出すると、遮断弁を閉じてガスの供給を停止すると共に、異常を報知するために報知用ＬＥＤ３２を点滅させて、その光を点灯表示用透光部材４０に透過させる。
【００２２】
ここで、点灯表示用透光部材４０の外面にはマウント部４２が突出形成され、そのマウント部４２の表面にはシボが形成されているので、報知用ＬＥＤ３２の光がマウント部４２の表面全体に拡散し、マウント部４２の表面全体が光る。従って、例えば、ガスメータ１０の横から点灯表示用透光部材４０を見ても、その点灯表示用透光部材４０の一部であるマウント部４２からの拡散光を視認することができる。また、マウント部４２の表面のシボにより、太陽光等の外部からの光の反射を抑えることができるので、ガスメータ１０が太陽光等を受けている状況下であっても報知用ＬＥＤ３２が点灯しているか否かを容易に判別することができる。
【００２３】
さらに、そのマウント部４２を透光孔３３の軸方向からみた形状における外径Ｄ（図３参照）は、報知用ＬＥＤ３２の先端面の外径より大きいので、点灯表示用透光部材４０を通さずに報知用ＬＥＤ３２の光を外部に放射する場合より、光の放射部分（即ち、マウント部４２）の面積が広くなり、点灯しているか否かを容易に判別することができる。また、報知用ＬＥＤ３２からの光は、報知用ＬＥＤ３２が筒部４１の内部に受容されているので側方への光の漏れが規制され、効率よくマウント部４２を光らせることができる。
【００２４】
しかも、本実施形態のガスメータ１０では、マウント部４２が磨りガラス状に白色であるのに対し、報知用ＬＥＤ３２の光は赤色であるので、報知用ＬＥＤ３２の点灯時と消灯時とでマウント部４２の色が変わり、報知用ＬＥＤ３２が点灯しているか否かを容易に判別することができる。
【００２５】
このように、本実施形態によれば、報知用ＬＥＤ３２が点灯しているか否かを容易に判別することができるので、異常事態に対して迅速に対応することができる。また、太陽光等が当たる場所であっても報知用ＬＥＤ３２が点灯しているか否かを容易に判別することができるので、ガスメータ１０の設置場所の自由度が高くなると共に、ガスメータ１０に庇を設ける必要もなくなる。
【００２６】
［第２実施形態］
本実施形態は図４〜図６に示されている。本実施形態のガスメータ１０では、図４に示すように、回路収容部１７がガスメータ１０の前面に配置されている。そして、この回路収容部１７の外壁１７Ｆに保安表示部２０が備えられている。保安表示部２０は略正方形で、回路収容部１７の前面の左右方向の略中心に位置している。また、保安表示部２０には横長矩形の液晶ユニット２１が備えられており、ガスの使用状況等が表示されるようになっている。
【００２７】
なお、ガスの使用状況等とは、ガスを使用中であるか否か、遮断弁の作動状況、異常の内容等である。
【００２８】
図５には回路収容部１７の側断面図が示されている。回路収容部１７の内部には、回路基板３１が、その板厚方向がガスメータ１０の前後方向と一致するようにして収容されている。この回路基板３１の前側面には、液晶ユニット２１が取り付けられており、液晶ユニット２１の下方には報知用ＬＥＤ３２が前方に突き出して備えられている。
【００２９】
回路収容部１７の外壁１７Ｆのうち液晶ユニット２１及び報知用ＬＥＤ３２の前方位置には表示開口１７Ａが貫通形成されている。この表示開口１７Ａは回路収容部１７の外壁１７Ｆに段付き状に形成されており、開口面積の大きい前側表示開口１７Ｂと、それよりも開口面積が一回り小さい後側表示開口１７Ｃとからなる。そして、この表示開口１７Ａにユニット保護板２３が前側から宛がわれている。ユニット保護板２３は前側表示開口１７Ｂと略同一形状で、その縁部は前側及び後側の表示開口１７Ｂ，１７Ｃの間にできる段差面にて係止される。また、ユニット保護板２３には上下方向の上寄り位置に表示窓２３Ａが形成されており、回路収容部１７内の液晶ユニット２１が視認可能になっている。
【００３０】
そして、ユニット保護板２３のうち表示窓２３Ａの下方で、回路収容部１７内の報知用ＬＥＤ３２との対向位置には筒部４１Ｌが設けられている。本実施形態では、報知用ＬＥＤ３２が筒部４１Ｌの内側には受容されず、図６に示すように、筒部４１Ｌの後方に配置されている。また、筒部４１Ｌは後方に向かに従って縮径する円錐台形状となっている。報知用ＬＥＤ３２を点灯させると、その光は筒部４１Ｌの内面に反射して前方に導かれる。
【００３１】
さて、液晶ユニット２１及びユニット保護板２３の前面は、透明な樹脂製シートであるプレート状透光部材２２によって全面が覆われている。プレート状透光部材２２のうち筒部４１Ｌに対向する部分が、本発明に係る点灯表示用透光部材４０Ｌを構成している。点灯表示用透光部材４０Ｌには前記第１実施形態のマウント部４２と同形状のマウント部４２Ｌが形成されると共に、その表面にはシボが形成されて磨りガラス状になっている。これにより本実施形態でも、前記第１実施形態と同様に、報知用ＬＥＤ３２が点灯すると、その光はマウント部４２の膨出とシボとによりマウント部４２の表面全体に拡散し、マウント部４２の表面全体が光る。上記構成以外は第１実施形態と同じである。
【００３２】
本実施形態のガスメータ１０によっても、前記第１実施形態と同様な効果を奏することができる。また、点灯表示用透光部材４０Ｌをプレート状透光部材２２の一部で構成したので、部品点数の削減が図られる。
【００３３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１及び第２実施形態では、異常時に報知用ＬＥＤ３２が点滅する構成であったが点灯する構成にしてもよい。また、異常の内容に応じて報知用ＬＥＤ３２を点灯させたり点滅させたりして、異常の内容を区別できるようにしてもよい。
【００３４】
（２）第１実施形態の点灯表示用透光部材４０では筒部４１が一体形成されていたが、筒部４１を点灯表示用透光部材４０とは別部品にしてもよい。
【００３５】
（３）第１実施形態の報知用ＬＥＤ３２は、筒部４１の後方に配置してもよいし、図７に示すように、報知用ＬＥＤ３２の先端が点灯表示用透光部材４０の円盤体４０Ａに当接するように配置してもよい。
【００３６】
（４）マウント部４２、４２Ｌの形状は、多面体形状であってもよく、例えば多角錐形状であってもよい。また、円錐形状や円錐台形状であってもよい。
【００３７】
（５）保安表示部２０には、異常の内容を表示するとともに、その異常に対する対処方法を表示してもよい。
【図面の簡単な説明】
【００３８】
【図１】本発明の第１施形態に係るガスメータの正面図
【図２】図１のＡ−Ａ切断面におけるガスメータ上部の側断面図
【図３】同ガスメータの透光部材の拡大断面図
【図４】本発明の第２施形態に係るガスメータの正面図
【図５】図４のＢ−Ｂ切断面におけるガスメータの回路収容部の側断面図
【図６】同ガスメータの透光部材の拡大断面図
【図７】変形例のガスメータの透光部材の拡大断面図
【符号の説明】
【００３９】
１０    ガスメータ
１７    回路収容部
２０    保安表示部
２２    プレート状透光部材
３１    回路基板
３２    報知用ＬＥＤ（発光素子）
４０，４０Ｌ  点灯表示用透光部材
４１    筒部
４２，４２Ｌ    マウント部
４４    表示灯
【図１】
2009025177.tif 000003
【図２】
2009025177.tif 000004
【図３】
2009025177.tif 000005
【図４】
2009025177.tif 000006
【図５】
2009025177.tif 000007
【図６】
2009025177.tif 000008
【図７】
2009025177.tif 000009